(57)【要約】【課題】  径の細いランプの場合でも、容易におよび確実にランプ装着が出来る照明器具およびランプソケットを提供する。【解決手段】  直管ランプ１４の端部のランプピン１５を軸方向に移動させることにより接触するランプピン接触部１６を有するソケット本体８と、ランプピン接触部１６の前側でランプピン１５がランプピン接触部１６に整合するように直管ランプ１６の端部を案内する摺動案内面２０を有するガイド１０とを備え、摺動案内面２０は、ランプピン１５がランプピン接触部１６に整合した状態で直管ランプ１４を軸方向に押すことにより後退可能に構成され、かつ直管ランプ１４の軸方向への押圧を解放することにより復帰可能に構成されている。【選択図】        図２
2005093304.tif 000002
【特許請求の範囲】
【請求項１】
直管ランプの端部のランプピンを軸方向に移動させることにより接触するランプピン接触部を有するソケット本体と、前記ランプピン接触部の前側で前記ランプピンが前記ランプピン接触部に整合するように前記直管ランプの端部を案内する摺動案内面を有するガイドとを備え、
前記摺動案内面は、前記ランプピンが前記ランプピン接触部に整合した状態で前記直管ランプを前記軸方向に押すことにより後退可能に構成され、かつ前記直管ランプの前記軸方向への押圧を解放することにより復帰可能に構成されていることを特徴とするランプソケット。
【請求項２】
前記ガイドは、前記ランプピンが前記ソケット本体の前面に当接するより先に、前記直管ランプの一部が前記ガイドに当接するように設定されている請求項１記載のランプソケット。
【請求項３】
前記摺動案内面は前記直管ランプのランプ口金が前記ランプピンより先に前記ガイドに当接するように傾斜角度が設定されている請求項２記載のランプソケット。
【請求項４】
前記ガイドは前記直管ランプを前記軸方向に移動させることによりランプ軸方向に摺動する請求項１、請求項２または請求項３記載のランプソケット。
【請求項５】
前記ガイドは前記直管ランプを前記軸方向に移動させることにより、ランプ軸に対し、垂直方向に摺動するように少なくとも２つに分割されている請求項１、請求項２または請求項３記載のランプソケット。
【請求項６】
前記ランプピンが前記ランプピン接触部に接触するランプピン接触方式が差し込み型であり、前記ガイドの復帰力は前記ランプピン接触部のランプピン保持力より大きい請求項１、請求項２、請求項３、請求項４または請求項５記載のランプソケット。
【請求項７】
前記直管ランプの押し込みにより前記ガイドが後退動作することによって、給電可能となるスイッチを有する請求項１、請求項２、請求項３、請求項４、請求項５または請求項６記載のランプソケット。
【請求項８】
前記ガイドに可動接点を設け、前記ガイドの後退動作により前記可動接点が接触する固定接点を給電側に設けた請求項７記載のランプソケット。
【請求項９】
請求項１、請求項２、請求項３、請求項４、請求項５、請求項６、請求項７または請求項８記載のランプソケットを有する照明器具。
【発明の詳細な説明】
【技術分野】
【０００１】
本発明は、ランプソケットおよび照明器具に関するものである。
【背景技術】
【０００２】
従来、ソケット本体およびランプを密閉したシリンダ内に収めて使用する防爆用照明器具では、各器具毎に適合のランプが決められており、それぞれのランプの太さに合わせた器具およびシリンダ設計がなされていた。
【０００３】
しかし、シリンダを共用しようとする場合、シリンダの太さは、最も太いランプ径に合わせて設計されるため、最も細い径のランプを使用する場合は、ランプとシリンダとの間の隙間が大きくなってしまう。
【０００４】
ランプはソケットの片方の背面側から挿入し、シリンダ内を通って、もう一端のソケットへ嵌合させなければならない。このランプ装着操作では、ランプの一端のみを持って作業するためランプのもう一端を浮かせたまま挿入する事は難しい（特にランプ長が長い場合）。
【０００５】
その場合は、例えば図２０に示すように、重力によってランプ１０１は傾き、ランプ先端はシリンダ１０２の内面に当接しながら挿入される。１００はソケット本体、１０３はホルダ、１０４はホルダカバーである。
【０００６】
ソケット本体１００はシリンダ１０２の中心に配置されているため、ランプ先端がシリンダ内面に当接した状態では、ランプ１０１はソケット本体１００に嵌合できない。
【０００７】
そこで、従来例（特許文献１参照）では、ランプをシリンダ内中心に水平のまま挿入出来るように、ランプに装着し、シリンダ内面に弾接するようなリング部品を使用している。
【特許文献１】実開昭63−85807号公報
【発明の開示】
【発明が解決しようとする課題】
【０００８】
しかし、従来例では、リング部品分のコストアップになるとともに、リング部品がランプの陰になり、配光および見栄えが悪くなる。また、事前にランプへ装着しなければならないなど、ランプ着脱操作が面倒である。
【０００９】
そこで、本発明では径の細いランプの場合でも、容易におよび確実にランプ装着が出来る照明器具およびランプソケットを提供することを目的とする。
【課題を解決するための手段】
【００１０】
この発明のランプソケットは、直管ランプの端部のランプピンを軸方向に移動させることにより接触するランプピン接触部を有するソケット本体と、前記ランプピン接触部の前側で前記ランプピンが前記ランプピン接触部に整合するように前記直管ランプの端部を案内する摺動案内面を有するガイドとを備え、
前記摺動案内面は、前記ランプピンが前記ランプピン接触部に整合した状態で前記直管ランプを前記軸方向に押すことにより後退可能に構成され、かつ前記直管ランプの前記軸方向への押圧を解放することにより復帰可能に構成されていることを特徴とするものである。
【００１１】
上記構成において、前記ガイドは前記ランプピンが前記ソケット本体の前面に当接するより先に、前記直管ランプの一部が前記ガイドに当接するように設定されている。
【００１２】
上記構成において、前記摺動案内面は前記直管ランプのランプ口金が前記ランプピンより先に前記ガイドに当接するように傾斜角度が設定されている。
【００１３】
上記構成において、前記ガイドは前記直管ランプを前記軸方向に移動させることによりランプ軸方向に摺動する。
【００１４】
上記構成において、前記ガイドは前記直管ランプを前記軸方向に移動させることにより、ランプ軸に対し、垂直方向に摺動するように少なくとも２つに分割されている。
【００１５】
上記構成において、前記ランプピンが前記ランプピン接触部に接触するランプピン接触方式が差し込み型であり、前記ガイドの復帰力は前記ランプピン接触部のランプピン保持力より大きい。
【００１６】
上記構成において、前記直管ランプの押し込みにより前記ガイドが後退動作することによって、給電可能となるスイッチを有する。
【００１７】
上記構成において、前記ガイドに可動接点を設け、前記ガイドの後退動作により前記可動接点が接触する固定接点を給電側に設けている。
【００１８】
この発明の照明器具は、上記構成のランプソケットを有する。
【発明の効果】
【００１９】
この発明のランプソケットによれば、径の細いランプの場合でも、容易におよび確実にランプ装着が出来る。また従来と比べて配光および見栄えが悪くならない。
【００２０】
ガイドは、ランプピンがソケット本体の前面に当接するより先に、直管ランプの一部例えばランプ口金がガイドに当接するように設定されているため、ランプがソケット中心にガイドされた後にランプピンが挿入されるので、ランプピンがソケット本体の前面のランプピン挿入穴以外に当たり引っ掛かるなどがなく確実にランプ挿入ができる。またランプピンの先端で削られやすい可塑性樹脂も使用可能となる。
【００２１】
摺動案内面は直管ランプのランプ口金がランプピンより先にガイドに当接するように傾斜角度が設定されているため、スムースにガイドできる。ランプピンの先端が当接するとひっかかる可能性がある。
【００２２】
ガイドは直管ランプを軸方向に移動させることによりランプ軸方向に摺動するため、シリンダおよびシリンダを保持するホルダの径を最小に設定できる。
【００２３】
ガイドは直管ランプを軸方向に移動させることにより、ランプ軸に対し、垂直方向に摺動するように少なくとも２つに分割されているため、ホルダおよび器具全長を最短に設定できる。
【００２４】
ランプピンがランプピン接触部に接触するランプピン接触方式が差し込み型であり、ガイドの復帰力はランプピン接触部のランプピン保持力より大きいため、ランプを取り外す（ソケット本体側へ押し付ける力がない）場合は、ガイドの弾性復帰力によって、ソケット本体から自動的に外れるため、密閉側ソケットを差込式にした場合でも、ソケット本体がランプを保持したままになり、ランプ交換ができなくなることがない。スムーズにランプ外しができる。ランプピン接触方式を差込式にすることができるため、つき合せ方式に比べ、接触が安定する。従来は、ランプが取り出せなくなる可能性があるため、つき合せ方式しかできなかった。
【００２５】
直管ランプの押し込みによりガイドが後退動作することによって、給電可能となるスイッチを有するため、ランプを装着時に移動するガイドにソケット本体と安定器からの給電部を接続する接点を開閉させることで、インターロックが実現できる。例えばランプを着脱する途中では、通電しないため、誤ってスイッチON状態で、ランプ交換された場合でも安全である。ガイドの端部で接点を開閉する場合は、接点の接触荷重はガイドを押し返すばね力から与えられるので、十分な接触荷重が得られ通電性能がよい。
【発明を実施するための最良の形態】
【００２６】
この発明の第１の実施の形態を適用した照明器具を図１から図６により説明する。すなわち、この照明器具は、器具本体１と、ランプソケット２、３と、シリンダ４とを有する。
【００２７】
器具本体１は、点灯回路（図示せず）を内蔵し、上面に天井取付部５を設け、下面の両端にソケット取付部６を設けている。
【００２８】
ランプソケット２、３は直管ランプ１４を収納するシリンダ４の両端に配置される。実施の形態において、ソケット本体８と、ソケット本体８を収納する筒状のホルダ９と、ソケット本体８の前端部に配置されるガイド１０とを有する。ソケット本体４は前面がソケット受金面となり、ランプソケット２、３のランプピン１５を挿着するための挿入孔８ｂを有し、内部にランプピン接触部１６を配置している。直管ランプ１４の端部のランプピン１５を軸方向に移動させることによりランプピン接触部１６に接触する。ソケット本体４の後端側の側面（上面）に電気接続接点１１が配置されている。ホルダ９は前端にシリンダ４の端部を嵌合し、後端の開口をホルダカバー１２で閉塞し、中間部に電気接続接点に対向して接続部品の挿入口１３を設けている。
【００２９】
ガイド１０は、ランプソケット２、３の少なくとも一方に設けられ、ランプピン接触部１６の前側で直管ランプ１４のランプピン１５がランプピン接触部１６に整合するように直管ランプ１４の端部を案内する摺動案内面２０を有する。摺動案内面２０は、ランプピン１５がランプピン接触部１６に整合した状態で直管ランプ１４を軸方向に押すことにより後退可能に構成され、かつ直管ランプ１４の軸方向への押圧を解放することにより復帰可能に構成されている。実施の形態において、ガイド１０はソケット本体８とホルダ９の間に摺動自在に嵌合する筒状体であり、外周面はホルダ９の内周面に嵌合し、前端面の摺動案内面２０を例えば角錐または円錐など錐状の凹面に形成している。ガイド１０とホルダ９内のばね受け兼仕切り壁２１との間にばね例えばコイルばね１８を介在し、ガイド１０をソケット本体８の前方向に突出するように復帰付勢している。これによりガイド１０が前進した位置が、ガイド１０の摺動案内面２０で直管ランプ１４のランプピン１５をランプピン接触部１６に整合するように案内する案内位置であり、ガイド１０がコイルばね１８に抗して後退した位置がランプピン１５をランプピン接触部１６に接触するよう直管ランプ１４を避ける後退位置であり、案内位置と後退位置との間を軸方向に移動可能となっている。この場合、ガイド１０の内径は最小のランプ径以下とし、ランプ１４がガイド１０に当接した時点ではランプピン１５はソケット本体８のソケット受金面８ｂには届かないようにしている。すなわち、図５に示すようにランプピン１５がソケット本体８のソケット受金面に接触するより先に、直管ランプの一部がガイド１０に接触するようにガイド１０の案内位置を設定している。また直管ランプ１４のランプ口金１４ａがランプピン１５より先にガイド１０に接触するように摺動案内面２０の傾斜角度を設定している。すなわちガイド１０の傾斜に沿ってランプ１４はソケット本体中心軸へガイドされるが、摺動案内面２０の傾斜によりランプピン１５が摺動案内面２０に当たらない。
【００３０】
なお、ランプソケット２、３のうち片方のランプソケット２はホルダカバー、ソケット本体８を外して直管ランプ１４をシリンダ４内に挿入できるようにしている。この場合ランプソケット２にはガイド１０はなくてもよい。
【００３１】
直管ランプ１４の着脱について説明する。図４はランプ挿入側ランプソケット２から直管ランプ１４をシリンダ４内に挿入した状態である。直管ランプ１４は片端から挿入されるため傾いてしまい、先端側はシリンダ４に接した状態になる。図５は直管ランプ１４をさらに押し込んだ状態である。このとき口金１４ａの周縁部がガイド１０の傾斜面に沿って摺動し、ランプピン１５がランプピン接触部１６に整合するように対向し、心合わせされる。図６は直管ランプ１４をさらに押し込んだ状態である。このときガイド１０はばね１８に抗してソケット本体８に沿って後退する後退位置となり、ランプピン１５がランプピン接触部１６に接触する。これがランプピン１５とランプピン接触部１６の接続状態である。
【００３２】
一方、直管ランプ１４を外すときは直管ランプ１４を引くとばね１８によりガイド１０が押し返され、ガイド１０は案内位置となり、ランプピン１５がランプピン接触部１６から離れる。
【００３３】
なお、ランプピン接触部１６が差し込み式の場合、ばね１８の反力はランプピン接触部１６のランプピン保持力より大きく設定している。
【００３４】
この実施の形態によれば、ランプの径が異なる場合でも、ランプを容易におよび確実に装着でき、ガイドによって見栄えや配光が悪くなることもない。ガイド１０の内径を最細のランプ径以下に設定しているため、全てのランプに対し、ランプがソケット中心位置にガイドされた後に、ランプピン１５が挿入されるため、ランプピン１５がソケット本体８の前面すなわちソケット受金面８ａのランプピン挿入孔８ｂ以外に当り引っ掛かるなどがなく確実にランプ挿入が出来る。ランプピン先端で削られやすい可塑性樹脂も使用可能となる。さらに、ソケット受金面７０のランプピン挿入穴７１の周りに、図１９（ａ）に示すような凹のガイド７２が不要のため、図１９（ｂ）に示すようにランプ口金面７３とソケット受金面７０が密着しランプピン７４をランプピン接触部７５に深く挿入できるので、ランプピン接触方式を安定接触ができる差込式にできる。
【００３５】
ガイド１０の傾斜面角度を、ソケット受金面８ａとは無関係に自由に設定できるため、ランプピン先端はガイド１０の傾斜面に当らないような角度に設定することができる。ランプ口金面の端部がガイド１０に当接するため、スムーズにガイドでき、ランプピン先端が接触することによるひっかかりがない。
【００３６】
ガイド１０をランプ軸方向ヘスライドさせる場合、シリンダ４およびホルダ９の径を最小に設定できる。
【００３７】
ソケット本体８は固定されたままのため、ソケット本体８と点灯装置との電気接続が安定する。従来は、つき合せ式のランプピン接触とし、ソケット本体自身をスライドさせていた。
【００３８】
この発明の第２の実施の形態を図７により説明する。第１の実施の形態において、ばね受け２２をソケット本体８に設けたものである。このようにすると、ガイド１０の組立が容易になる。その他は第１の実施の形態と同様である。
【００３９】
この発明の第３の実施の形態を図８により説明する。第２の実施の形態において、ガイド１０に電気接続接点１１が露出するように切欠き２４を設けている。ガイド１０の切欠き２４から電気接続が行えるので、ソケット本体８を小さく構成することができる。また切欠き２４はランプ径より小さいためガイド径は確保できる。
【００４０】
この発明の第４の実施の形態を図９から図１３により説明する。第１の実施の形態において、ガイド１０は直管ランプ１４を軸方向に移動させることにより、ランプ軸に対し、垂直方向に摺動するように少なくとも２つに分割されている。実施の形態では、ガイド１０は分割片１０ａ、１０ｂをランプ軸に対し垂直方向、図では上下方向に移動可能としている。コイルばね１８ａ、１８ｂは各分割片１０ａ、１０ｂの外周面に設けた平面２４とホルダ９の内周面との間に介在している。
【００４１】
図１１は、ガイド１０ａ、１０ｂがばね１８ａ、１８ｂに押されて縮径して案内位置にある状態である。直管ランプ１４がシリンダ４内に一端側より挿入され、先端がガイド１０ａ、１０ｂの摺動案内面２０に当接している。図１２は直管ランプ１４をさらに押し込んだ状態である。このとき直管ランプ１４の先端が摺動案内面２０の傾斜面に沿ってソケット本体中心に移動しランプピン１５がランプピン接触部１６に整合する。図１３は直管ランプ１４をさらに押し込んだ状態である。このとき、ガイド１０ａ、１０ｂは直管ランプ１５に押されて上下方向にスライドして開き、口金１４ａがガイド１０ａ、１０ｂ内に入り込み、ランプピン１５がランプピン接触部１６に接触する。
【００４２】
その他は、第１の実施の形態と共通する。この実施の形態によれば、ガイド１０ａ、１０ｂをランプ軸に対し垂直方向ヘスライドさせる場合、ホルダ９および器具全長を最短に設定できる。
【００４３】
この発明の第５の実施の形態を図１４および図１５により説明する。第１の実施の形態において、ガイド１０の錐状の凹面に径方向に複数のスリット２５を形成して、ガイド１０を複数の傾斜片２０ａ〜２０ｄに分割し、各傾斜片２０ａ〜２０ｄをばねにより形成している。実施の形態では傾斜片２０ａ〜２０ｄをガイド１０に一体形成することによる樹脂ばねを利用したり、別途金属ばねを設けたりする。
【００４４】
直管ランプをシリンダ４に挿入し先端を傾斜片２０ａ〜２０ｄに当接しガイドさせることによりランプピン１５をランプピン接触部１６に整合させ、さらに直管ランプを押し込むことにより図１４（ｃ）のように傾斜片２０ｃを弾性変形してランプピン１５をランプピン接触部１６に接触させる。なお、直管ランプを引くとランプピン１５がランプピン接触部１６からは離れ、傾斜片２０ａ〜２０ｄは弾性復帰する。その他は第１の実施の形態と共通する。
【００４５】
この実施の形態によれば、ガイド１０をソケット本体８に移動自在にする必要がなく、しかも第１の実施の形態のコイルばねを付設する必要がない。またガイド１０をソケット本体８に一体に弾性体で形成することによって、部品点数を削減することができる。
【００４６】
なお、ガイド１０の分割は２以上でもよい。またスライドの方向はランプ軸に対して垂直方向であればどの方向でもよい。
【００４７】
この発明の第６の実施の形態を図１６から図１８により説明する。第１から第３の実施の形態において、直管ランプ１４の押し込みによりガイド１０が後退動作することによって、給電可能となるスイッチ２８を有する。この場合、ガイド１０に可動接点２９を設け、ガイド１０の後退動作により可動接点２９が接触する固定接点３０を給電側に設けている。
この場合、点灯回路側へ通電するための接続端子部３２の固定接点３０と電気接続接点１１との間に隙間３１を設け可動接点２９をその隙間に挿脱自在に挿入する。これにより、直管ランプ１４が挿着されることによってガイド１０がスライド移動し、ガイド１０に設けられた可動接点２９が点灯回路の固定接点３０とソケット本体８の電気接続接点１１を接続させる。これにより、直管ランプ１４を装着したときのみソケット本体８に給電可能となるインターロック機構を構成している。その他は、第１の実施の形態等と共通する。
【００４８】
図１８（ｂ）は接点の変形形態である。点灯回路側接点３０′とソケット本体側接点１１′とがガイド１０の移動方向に対向し、直管ランプ１４の押し込みによるガイド１０のスライドによりガイド１０に設けた突起状の押圧部２９′により両接点を接触させる。なおガイド１０からの押圧部２９′は接点１１′、３０′への接触荷重を与えるだけでもよい。
【図面の簡単な説明】
【００４９】
【図１】この発明の第１の実施の形態の部分照明器具である。
【図２】その分解斜視図である。
【図３】照明器具の斜視図である。
【図４】直管ランプをシリンダに挿入した状態の部分断面図である。
【図５】直管ランプをガイドに案内させた状態の部分断面図である。
【図６】直管ランプをソケット本体に装着した状態の部分断面図である。
【図７】第２の実施の形態のランプソケットの斜視図である。
【図８】第３の実施の形態のランプソケットの斜視図である。
【図９】第４の実施の形態のランプソケットの斜視図である。
【図１０】その分解斜視図である。
【図１１】直管ランプをシリンダに挿入した状態の部分断面図である。
【図１２】直管ランプをガイドに案内させた状態の部分断面図である。
【図１３】直管ランプをソケット本体に装着した状態の部分断面図である。
【図１４】（ａ）は第５の実施の形態のランプソケットの斜視図、（ｂ）はガイドの斜視図、（ｃ）はその部分断面図である。
【図１５】照明器具の部分断面図である。
【図１６】第６の実施の形態のランプソケットの部分斜視図である。
【図１７】照明器具の部分断面図である。
【図１８】（ａ）はその部分拡大図、（ｂ）は変形形態の説明図である。
【図１９】（ａ）はランプピンの凹のガイドをソケット本体に有する説明図、（ｂ）は本発明の説明図である。
【図２０】従来例の部分断面図である。
【符号の説明】
【００５０】
１    器具本体
２    ランプソケット
３    ランプソケット
４    シリンダ
８    ソケット本体
９    ホルダ
１０    ガイド
１１    電気接続接点
１４    直管ランプ
１４ａ  ランプ口金
１５    ランプピン
１６    ランプピン接触部
１８    コイルばね
２８    スイッチ
【図１】
2005093304.tif 000003
【図２】
2005093304.tif 000004
【図３】
2005093304.tif 000005
【図４】
2005093304.tif 000006
【図５】
2005093304.tif 000007
【図６】
2005093304.tif 000008
【図７】
2005093304.tif 000009
【図８】
2005093304.tif 000010
【図９】
2005093304.tif 000011
【図１０】
2005093304.tif 000012
【図１１】
2005093304.tif 000013
【図１２】
2005093304.tif 000014
【図１３】
2005093304.tif 000015
【図１４】
2005093304.tif 000016
【図１５】
2005093304.tif 000017
【図１６】
2005093304.tif 000018
【図１７】
2005093304.tif 000019
【図１８】
2005093304.tif 000020
【図１９】
2005093304.tif 000021
【図２０】
2005093304.tif 000022